(57)【要約】【課題】朝夕の太陽光の低い位置でも太陽光の影響を受けないで文字を的確に表示でき且つ防雨構造の屋外用文字表示装置を得るにある。【解決手段】発光する文字を表示する表示パネル２を設けた文字表示ユニット１を，少なくとも一つの面側に開口部５を有する庇付きカバー４内に開口部５を表示パネル２の面側となるように収納した屋外用文字表示装置６であって，表示パネル２が庇付きカバー４内で前傾するように文字表示ユニット１を設置することで屋外用文字表示装置６を構成している。【選択図】図１
2005157234.tif 000002
【特許請求の範囲】
【請求項１】
発光する文字を表示する表示パネルを設けた文字表示ユニットを，少なくとも一つの面側に開口部を有する庇付きカバー内に該開口部を前記表示パネルの面側となるように収納した屋外用文字表示装置であって，前記表示パネルが前記庇付きカバー内で前傾するように前記文字表示ユニットを設置したことを特徴とする屋外用文字表示装置。
【請求項２】
前記文字表示ユニットは前記表示パネルと対向する面の下側に前傾するための回動軸となる結合部を備え該結合部を介して前記庇付きカバーに取付けられ，前傾した一定の角度で前記庇付きカバーに固定される固定手段を設けたことを特徴とする請求項１記載の屋外用文字表示装置。
【発明の詳細な説明】
【技術分野】
【０００１】  本発明は，発光ダイオード（ＬＥＤ）を利用した情報表示用の表示装置に関し，特に太陽光などの外光に対して視認性を改善した屋外用表示装置に関する。
【背景技術】
【０００２】  消火設備等に使用され消火剤が放出されて危険である旨を文字によって警告表示するものとして，図７の分解斜視図に示す文字表示器３０が特許文献１に開示されている。この文字表示器３０は図８に示すように，裏面に警告文字となる陰刻文字３７の加工をした導光部材３１の前面に透光性の有る赤色に着色した光フィルター板３２を積層し，導光部材３１の周囲に内面を黒色とした裏板３３と外枠３４とからなる遮光ケースで覆い，導光部材３１の側面に配設された複数の赤色発光ダイオード３５の光源により導光部材３１の内部に光を照射することで陰刻された文字を窓３６から見ることができる。この文字表示器３０は防護区画の室内出入口等の見易い場所に設置され，内部を黒色とした遮光ケースで覆われているので，赤色発光ダイオード３５が発光しているとき以外，文字を識別できなくすることができ，さらに外光が表示器内部で反射しないので，外光の影響を抑え表示を見易くすることができる特徴を有している。【０００３】  また，屋外の高所に設置する表示器が文献２に開示されている。図９に表示器４０の実施例の外観図が示されており，給油所４１の敷地内に在る建物４２の前面上部で，給油エリア４３の位置から見やすい位置に，給油ノズル４４による懸垂式給油装置の給油量が表示される表示器４０が取り付けられている。図１０に表示器４０の断面図が示されており，発光ダイオード４５のマトリックスにより，選択された発光ダイオード４５の点灯で文字を例えば，図１１のように１番の計量機でレギュラーガソリンの給油が満タンで３４．５６Ｌであることを表示するものである。表示器４０では，各発光ダイオード４５の光軸に対し各発光ダイオード４５を覆う円錐形の投光孔４６の軸方向が下向きに設けられ，さらに発光ダイオード４５のマトリックスが取りついている取付面４７を垂直な線に対しαの角度前傾させることで，朝夕などの太陽の位置が低くなっても直接，太陽光が発光ダイオード４５に入射できないように工夫され，太陽光の影響を抑え表示を見易くしている。
【特許文献１】特開２００３−１５５６２号公報
【特許文献２】特開平８−２４８９２３号公報
【発明の開示】
【発明が解決しようとする課題】
【０００４】  文字表示器３０や表示器４０などの表示器を消火剤が放出されて危険である旨の文字表示の用途として屋根の無い屋外に設置する場合，これらの表示器の取付け高さは２〜３ｍ位置に設置され，目線高さが１．６ｍの位置で２ｍ程度の人との離隔位置で見ることを想定する必要がある。すると，これらの表示器は朝夕などの太陽の位置が低い場合でも表示文字が認知でき，且つ防雨構造を有することが要求される。ところが，文字表示器３０は太陽の位置が低い場合，赤色発光ダイオード３５で表示された陰刻文字の明るさが太陽光の直接入射により見づらくなることは否めない。また，文字表示器３０や表示器４０の両者とも直接雨の当たる屋外では使用できる構造となっていない。【０００５】  さらに，表示器４０の取付場所によっては，太陽光などの強い光がどのように入射してくるか，取付け時点で不明な場合も有る。したがって，表示器４０で垂直な線に対するαの角度はある範囲で現場で容易に調整可能な構造である必要がある。しかし，特許文献２には，それらの構造の開示も示唆もされていない。そこで，本発明は，朝夕の太陽光の低い位置でも太陽光の影響を受けないで文字を的確に表示でき且つ防雨構造の屋外用文字表示装置を提供することを目的とする。
【課題を解決するための手段】
【０００６】  上記目的を達成するために，本発明の屋外用文字表示装置は，発光する文字を表示する表示パネルを設けた文字表示ユニットを，少なくとも一つの面側に開口部を有する庇付きカバー内に該開口部を前記表示パネルの面側となるように収納した屋外用文字表示装置であって，前記表示パネルが前記庇付きカバー内で前傾するように前記文字表示ユニットを設置したことを特徴とするものである。【０００７】  さらに，前記文字表示ユニットは前記表示パネルと対向する面の下側に前傾するための回動軸となる結合部を備え該結合部を介して前記庇付きカバーに取付けられ，前傾した一定の角度で前記庇付きカバーに固定される固定手段を設けることが，取付現場での変更が容易となるので好ましい。
【発明の効果】
【０００８】  以上の説明から明らかなように，本発明にあっては次に列挙する効果が得られる。【０００９】（１）発光する文字を表示する表示パネルを設けた文字表示ユニットを，少なくとも一つの面側に開口部を有する庇付きカバー内に該開口部を前記表示パネルの面側となるように収納した屋外用文字表示装置であって，前記表示パネルが前記庇付きカバー内で前傾するように前記文字表示ユニットを設置したという構成により，屋内用の文字表示ユニットを屋外用に流用することができる。従って，屋内用，屋外用の専用の文字表示ユニットを用意しなくても，屋内用としての文字表示ユニットに簡単な部品を付加する事で屋外用として使用できるので製品管理が容易となる。【００１０】（２）前記（１）によって，屋内で使用していた文字表示ユニットを，屋外用文字表示装置に現場で容易に変更することができる。【００１１】（３）前記（１）によって，庇付きカバー内で前傾するように前記文字表示ユニットを設置できるので，太陽の位置が低い場合でも表示文字が認知できる。【００１２】（４）前記文字表示ユニットは前記表示パネルと対向する面の下側に前傾するための回動軸となる結合部を備え該結合部を介して前記庇付きカバーに取付けられ，前傾した一定の角度で前記庇付きカバーに固定される固定手段を設けたという構成により，現場で簡単に文字表示ユニットの前傾する角度を可変設定することができる。
【発明を実施するための最良の形態】
【００１３】  以下，図面に示す実施するための最良の形態により，発明を詳細に説明する。【００１４】  図１は，本発明の屋外用文字表示装置の外観斜視図であり，図２，図３及び図４に屋外用文字表示装置の正面図，底面図及び右側面図が示されている。文字表示ユニット１として，発光する文字を表示する機能を有するものであれば種々の方式のものが使用できる。例えば特許文献１のように発光ダイオードやランプなどの光源により導光部材の内部に光を照射することで陰刻された文字を表示するもの，特許文献２のように発光ダイオードやランプなどのドット状の光源によるマトリックスによって文字を表示するものなどが考えられる。本例では，図７で示した文字表示器３０を使用した場合について以下に示す。文字表示ユニット上面部１１をカバー上面８で，文字表示ユニット右側面部１２と左側面部１３とをカバー側面９で，文字表示ユニット背面部１４をカバー背面１０で覆う構造の庇付きカバー４により，文字表示ユニット１への降雨を防ぐことができ，さらに文字表示ユニット１に日除け対策を与えることができる。従って，本例による庇付きカバー４は，文字表示ユニット底面部１５と発光する文字を表示する表示パネル２を見るための開口部５を除いた文字表示器３０の周囲を庇付きカバー４で覆うことになる。【００１５】  図３は屋外用文字表示装置の底面図で，庇付きカバー４で覆われていないので，文字表示ユニット底面部１５が外から見える状態である。文字表示ユニット背面部１４の下側に，文字表示ユニット右側面部１２に垂直な方向を回動軸１７とする蝶板７が２箇所に固定されている。【００１６】  次に，回動軸としての蝶板７の作用説明図である図５を参照して，文字表示ユニット１が前傾し任意の前傾角度αで固定できることを説明する。文字表示ユニット１が蝶板７を介してカバー背面１０に固定されるので，蝶板７は結合部として機能し，文字表示ユニット１は蝶板７が有する回動軸１７を支点として，前方にαの角で傾斜することができる。さらに文字表示ユニット背面部１４に支持ピン１６が固定されており，ガイド溝Ａ１９の長孔加工された面とガイド溝Ｂ２０の長孔加工された面とが９０度の角度になるよう曲げ加工された傾斜角固定具１８が設けられている。支持ピン１６とガイド溝Ａ１９とは嵌合しており，文字表示ユニット１が回動軸１７を支点として前傾するのに従い，支持ピン１６はガイド溝Ａ１９に沿って摺動し，同時にガイド溝Ｂ２０と嵌合状態にある固定ボルト２１はガイド溝Ｂ２０に沿って摺動するので，適当な前傾角αで固定ボルト２１をカバー背面１０に加工されたタップ孔にねじ込み，締付けることで，傾斜角固定具１８がカバー背面１０に固定され，支持ピン１６はガイド溝Ａ１９の或る位置で拘束され，文字表示ユニット１の前傾角αが固定される。【００１７】  以上の作用により，設置される場所の方位角や周囲の環境等に対し，外光の影響を最小になるように文字表示ユニット１の前傾角αを，取付現場で容易に設定することができる。一例として，東京の場合の冬至では，日没前の１６：００の時刻を想定すると，太陽位置は地平高度４．７度となり，図６のように，屋外用文字表示装置６の取付高さを２〜３ｍ，屋外用文字表示���置６と人との離隔距離を１．５〜２ｍとすると前傾角αは約２０度で太陽の反射光が目線以下のラインとなり文字識別の上で有効となる。【００１８】  本例の，支持ピン１６と傾斜角固定具１８と固定ボルト２１とから成る固定手段により，文字表示ユニット１は前傾した一定の角度で庇付きカバー４に固定することができる。本例ではこの固定手段を文字表示ユニット右側面部１２にのみ備えたが，文字表示ユニット左側面部１３にのみ備えても良いし，両方に備えても良いが，この固定手段を現場で容易に使用するには文字表示ユニット右側面部１２又は文字表示ユニット左側面部１３のどちらか一方にのみ設けることが好適である。
【産業上の利用可能性】
【００１９】  本発明は屋外用文字表示装置を製造する産業で利用される。
【図面の簡単な説明】
【００２０】
【図１】本発明による屋外用文字表示装置の外観斜視図。
【図２】本発明による屋外用文字表示装置の正面図。
【図３】本発明による屋外用文字表示装置の底面図。
【図４】本発明による屋外用文字表示装置の右側面図。
【図５】回動軸としての蝶板７の作用説明図。
【図６】本発明による屋外用文字表示装置と太陽光との関係図。
【図７】従来例としての文字表示器の分解斜視図。
【図８】従来例としての導光部材の正面図。
【図９】従来例としての表示器を設けた給油所の外観図。
【図１０】従来例としての表示器の断面図。
【図１１】従来例としての表示器の表示例。
【符号の説明】
【００２１】  １：文字表示ユニット                    ２：表示パネル
４：庇付きカバー                        ５：開口部
６：屋外用文字表示装置                  ７：蝶板
８：カバー上面                          ９：カバー側面
１０：カバー背面                        １１：文字表示ユニット上面部
１２：文字表示ユニット右側面部          １３：文字表示ユニット左側面部
１４：文字表示ユニット背面部            １５：文字表示ユニット底面部
１６：支持ピン                          １７：回動軸
１８：傾斜角固定具                      １９：ガイド溝Ａ
２０：ガイド溝Ｂ                        ２１：固定ボルト
３０：文字表示器                        ３１：導光部材
３２：光フィルター板                    ３３：裏板
３４：外枠                              ３５：赤色発光ダイオード
３６：窓                                ３７：陰刻文字
４０：表示器                            ４１：給油所
４２：建物                              ４３：給油エリア
４４：給油ノズル                        ４５：発光ダイオード
４６：投光孔                            ４７：取付面
【図１】
2005157234.tif 000003
【図２】
2005157234.tif 000004
【図３】
2005157234.tif 000005
【図４】
2005157234.tif 000006
【図５】
2005157234.tif 000007
【図６】
2005157234.tif 000008
【図７】
2005157234.tif 000009
【図８】
2005157234.tif 000010
【図９】
2005157234.tif 000011
【図１０】
2005157234.tif 000012
【図１１】
2005157234.tif 000013